(57)【要約】【課題】凹凸をなくすバリヤフリーの住宅では、開き戸式扉の下の隙間風を防ぐ通風遮断方法として扉の下かまちに弾性体の遮断板を永久的に保持する方法があるが、扉の開閉の度に床面と擦れるため損耗が激しく短期間での取り替えが必要になり、また床面を掃くので埃をかき立て、それが室内に侵入する。【解決手段】本発明のバリヤフリー住宅用扉は、扉(1)の下縁辺に取り付けた通風遮断手段(6)を、出入りのための一時的開閉時には上方に付勢させておき、扉(1)を戸締りその他継続的に閉めるときのみ上方への付勢を解除して垂下させて床面と扉との間の空隙を埋めるようにしたものである。【選択図】図２
2005194836.tif 000002
【特許請求の範囲】
【請求項１】
バリヤフリー住宅用扉であって、扉1の下かまち2の下縁辺に沿って、常時反床面方向に弾性的に付勢された通風遮断手段6を保持するとともに、扉下かまち2の内板1bの両端に切欠き9を設けることにより、扉1を閉めるに従い扉の外枠に設けたストッパー7が切欠き9を通過して遮断手段6に当接して遮断手段6を弾性的付勢に抗して床面に対し垂直状態に維持することを特徴としたバリヤフリー住宅用扉。
【請求項２】
通風遮断手段6は、下かまちに固定された固定片8aと、回動自在の可動片8bと、両者の間に介装されたバネ8cとからなる蝶番状の保持具8の可動片8bにバネ8cにより反床面方向に付勢された状態で保持されたことを特徴とする請求項１に記載のバリヤフリー住宅用扉。
【請求項３】
バリヤフリー住宅用扉であって、扉1の下かまち2の内板11Bの外面の下縁辺に沿って、常時反床面方向に弾性的に付勢された通風遮断手段6を保持するとともに、通風遮断手段6より短いカバー12でカバー両端に切欠き19を残して遮断手段6を覆い、扉1を閉めるに従い扉の外枠に形成したストッパー17が切欠き19を通過して遮断手段6に当接して遮断手段6を弾性的付勢に抗して床面に対し垂直状態に維持することを特徴としたバリヤフリー住宅用扉。
【請求項４】
通風遮断手段6は、下かまち2の内板11bに固定された固定片8aと、回動自在の可動片8bと、両者の間に介装されたバネ8cとからなる蝶番状の保持具8の可動片8bにバネ8cにより反床面方向に付勢された状態で保持されたことを特徴とする請求項３に記載のバリヤフリー住宅用扉。
【発明の詳細な説明】
【技術分野】
【０００１】
この発明は、バリヤフリー住宅用の開き戸式扉に関する。
【背景技術】
【０００２】
最近、高齢者や障害者のためのバリヤフリーが各分野において採用されるようになっている。特に、一般住宅においては当然の考慮として種々の形態のものが取り入れられている。  
【０００３】
【特許文献１】実用新案登録第3071004号公報
【０００４】
バリヤフリーの基本は歩行面での凹凸を無くすことで、要は平面化することである。しかし、凸部にせよ凹部にせよ理由があってのことであるから、それらをなくすことはそれらが奏していた効果を失うというマイナス面がある。
【０００５】
玄関扉のマイナス面としては、扉の下かまちと床面の間が開閉を円滑にするための隙間が問題である。隙間は通常６〜１０mmあるから空気の流通には十分である。このため冬季であれば寒い外気が室内に入り、室内の暖気が室外に逃げる。夏季は高温の外気が入り、室内の冷気が逃げる。
【発明の開示】
【発明が解決しようとする課題】
【０００６】
こうした空気の流通を絶つために従来から土台である下枠と並行に遮断手段11（図３中仮想線で示す）が設けられている。遮断手段11は空気の流通を絶つため凸状となるからこれがバリヤとなる。引き戸の場合は下かまちは敷居に嵌まり込むため空隙はないので、敷居さえ出っ張らないようにすればバリヤフリーとなる。
【０００７】
問題はマンションである。マンションの扉は開き戸式が普通で隙間風の影響を受けやすい。特に上階層程影響は大きくなるため、１個建ち住宅と異なり特別の配慮が必要となる。そのため扉の下かまち下縁辺に弾性体の遮断板を永久的に保持する方法が考えられるが、扉の開閉の度に床面と擦れるため損耗が激しく短期間での取り替えが必要になり、また床面を掃くので埃をかき立て、それが室内に侵入する。
【０００８】
この発明は、特にマンションにおけるバリヤフリーに際し開き戸式の玄関扉にバリヤフリーによるマイナス面を補填せんとするものである。
【課題を解決するための手段】
【０００９】
上記目的を達成するために本発明のバリヤフリー住宅用扉は、概略すれば、扉の下縁辺に取り付けた通風遮断手段を、出入りのための一時的開閉時には上方に付勢させておき、扉を戸締りその他継続的に閉めるときのみ上方への付勢を解除して垂下させて床面と扉との間の空隙を埋めるようにしたものである。
【００１０】
詳しくは、実施例１によれば、扉の下かまちの下縁辺に沿って、常時反床面方向に弾性的に付勢された通風遮断手段を保持するとともに、扉の内板（室内側）の両端に切欠きを設けることにより、扉を閉めるに従い扉の外枠に設けたストッパーが切欠きを通過して遮断手段に当接して遮断手段を弾性的付勢に抗して床面に対し垂直状態に維持することを特徴としている。
【００１１】
さらに、実施例２によれば、扉の下かまち内板の外面下縁辺に沿って、常時反床面方向に弾性的に付勢された通風遮断手段を保持するとともに、通風遮断手段より短いカバーで同カバー両端に空隙を残して遮断手段を覆い、扉を閉めるに従い扉の外枠に形成したストッパが切欠きを通過して遮断手段に当接して遮断手段を弾性的付勢に抗して床面に対し垂直状態に維持することを特徴としている。カバー両端部の空隙を実施例１に合わせてここでは切欠きという。
【００１２】
通風遮断手段は、一実施例として、下かまちに固定された固定片と、回動自在の可動片と、両者の間に介装されたバネとからなる蝶番状の保持具をもって構成し、その可動片にバネにより反床面方向に付勢された状態で保持するようにしている。
【発明の効果】
【００１３】
バリヤフリーのために扉の下にできる間隙による隙間風を遮断することができる。特に隙間風の影響を最も受けやすいマンションにおけるバリヤフリーに際し開き戸式の玄関扉のマイナス面を補填せんとするものである。また、遮断手段6は単に扉の開け閉めだけでは床面に接触することはないので磨耗を防ぐことができ、床面を掃いて埃を立てる心配はない。
【発明を実施するための最良の形態】
【００１４】
図1に示す玄関扉１は、下かまち2、上かまち3、左右の縦かまち4からなる通常の玄関扉である。扉1本体は室外側の外板1aと室内側の内板1b、さらに側板（ここでは説明・図示共に省略）からなる。外板1aと内板1bの間隔、すなわち、扉１の厚みは平均約40mmである。内板1bの両端部分に切欠き9を設けている。右縦かまち4は蝶番またはピボットヒンジ5により外枠10ｂに回動自在に取付けられる。
【００１５】
本発明はバリヤフリーの下における通風、特に外気の遮断が目的である。その通風遮断手段（以下、遮断手段という）6は図３に示すように帯状で、下かまち２の下縁辺に沿って設けられる。素材としては床面との気密性と弾性変形性を考慮するとゴム、プラスチックが最適である。  
【００１６】
遮断手段6は、図２、３に示すようにステンレス製の長尺の蝶番状保持具8に保持されている。蝶番状保持具8は、固定片8aと可動片8bと、適当な間隔をあけて介装されたバネ8cからなっている。遮断手段6は蝶番状支持具8の可動片8bの先端に保持され、常時はバネ8cにより反床面方向（図３中矢印方向）に付勢されている。
【００１７】
図３Aは扉を閉めつつある状態で、閉めるに従ってストッパ７は切欠き9を通過して遮断手段6に当接し、遮断手段6の進行を止める。その状態で遮断手段6はバネ8cの力に抗して床面に垂直状態に維持される。遮断手段6は床面に対し弾性変形しながら密接するから外気にせよ室内空気にせよ空気の流通は遮断される。図４A、Bが示すようにストッパ７は外枠内に位置しているので歩行を邪魔することはない。
【００１８】
単に出入りのために扉１を一時的に開閉するだけでは遮断手段6はストッパ７に当接しないから上方に付勢されたままなので床面に接触することはない。このため遮断手段6の摩滅は防げるし、床面を掃いて埃を巻き上げる心配はない。
【００１９】
次に実施例２について説明する。本願出願人は、地震災害による家屋崩壊時に簡単に取り外せる独自構造の扉を開発し実用化しているが（実用新案登録第3071004号）、その構造が図５以下に示すもので、この構造に対する本発明の適用を実施例２として説明する。
【００２０】
図５に示す実施例２の扉1は、蝶番および持ち出し式ピボットヒンジを使わず枢支軸15（図６）により外枠に回動自在に支持されている。また、指つめ防止を目的として扉の枢支部が半円形に形成されている。なお、図１と図５とでは室内と室外の位置が逆になっている。実施例２の場合は、実施例１と異なり遮断手段6の蝶番状保持具8は内板1bの外面に露呈した形で取り付けられる（図７A、７B）。そのためステンレス製の保護カバー12を設けている。保護カバー12は内板1bより短く両端に切欠き19ができる。図５は室内から室外に扉を押し開けた状態で、平面的には図８Ａの状態となる。
【００２１】
扉1が閉められると（図８A）、遮断手段6は切欠き19を通り抜けて外枠のストッパ部分17に当接するのでそれまで上方に付勢されている姿勢が解除されてバネ８cの力に抗しつつ垂直方向に強制保持される（図７Bおよび図８B）。これにより床と扉の隙間を遮断する。
【図面の簡単な説明】
【００２２】
【図１】本発明の玄関扉の概略斜視図である。
【図２】本発明の通風遮断手段を説明する一部省略の拡大斜視図である。
【図３Ａ】本発明の遮断手段、ストッパ、切欠きの関連性を説明する一部断面説明図で、特に遮断手段がストッパに当接する直前の状態を示す。
【図３Ｂ】図３Ａの状態から遮断手段がストッパに当接した状態を示す一部断面説明図である。
【図４Ａ】図３Ａの状態を平面的に説明する平面断面図である。
【図４Ｂ】図３Ｂの状態を平面的に説明する平面断面図である。
【図５】本発明の実施例２を示す玄関扉の概略斜視図である。
【図６】実施例２の通風遮断手段を説明する一部省略の拡大斜視図である。
【図７Ａ】実施例２における遮断手段、ストッパ、切欠きの関連性を説明する一部断面説明図で、特に遮断手段がストッパに当接する直前の状態を示す。
【図７Ｂ】図７Ａの状態から遮断手段がストッパに当接した状態を示す一部断面説明図である。
【図８Ａ】図７Ａの状態を平面的に説明する平面断面図である。
【図８Ｂ】図７Ｂの状態を平面的に説明する平面断面図である。
【符号の説明】
【００２３】
１         玄関扉
５、        ピボットヒンジまたは蝶番
１５        扉枢支軸
６        （通風）遮断手段
７          ストッパ
８          蝶番状保持具
９          切欠き（実施料１）
１７          縦枠兼用ストッパ
１９          切欠き（実施例２）
【図１】
2005194836.tif 000003
【図２】
2005194836.tif 000004
【図３Ａ】
2005194836.tif 000005
【図３Ｂ】
2005194836.tif 000006
【図４Ａ】
2005194836.tif 000007
【図４Ｂ】
2005194836.tif 000008
【図５】
2005194836.tif 000009
【図６】
2005194836.tif 000010
【図７Ａ】
2005194836.tif 000011
【図７Ｂ】
2005194836.tif 000012
【図８Ａ】
2005194836.tif 000013
【図８Ｂ】
2005194836.tif 000014